(57)【要約】  手挿入室２の第１の内壁面４側から第２の内壁面６に向けて第１の空気流ａを噴出する第１のノズル１５と、前記第２の内壁面側から前記第１の内壁面に向けて第２の空気流ｃを噴出する第２のノズル１６と、を備えた手乾燥装置１において、前記第１、第２の空気流の噴流軸ａ4、ｃ4が互いに衝突しないように、一方のノズルを他方のノズルが噴出する空気流の噴流軸から前記手挿入室の奥側へずらして設置し、前記手挿入室の奥側に位置する前記一方のノズルの入口側の内壁面であって前記他方のノズルからの空気流が衝突する内壁面１７を、前記手挿入室の奥側に向けて傾斜させた。【特許請求の範囲】
【請求項１】
手挿入室の第１の内壁面側から第２の内壁面に向けて第１の空気流を噴出する第１のノズルと、前記第２の内壁面側から前記第１の内壁面に向けて第２の空気流を噴出する第２のノズルと、を備えた手乾燥装置において、
前記第１、第２の空気流の噴流軸が互いに衝突しないように、一方のノズルを、他方のノズルが噴出する空気流の噴流軸から前記手挿入室の奥側へずらして設置し、前記手挿入室の奥側に位置する前記一方のノズルの入口側の内壁面であって前記他方のノズルからの空気流が衝突する内壁面を、前記手挿入室の奥側に向けて傾斜させたことを特徴とする手乾燥装置。
【請求項２】
前記他方のノズルからの空気流が衝突する内壁面が、凹曲面状に形成されていることを特徴とする請求項１に記載の手乾燥装置。
【請求項３】
前記手挿入室の奥側に位置する前記一方のノズルが噴出する空気流が衝突する内壁面を前記手挿入室の奥側に向けて傾斜させたことを特徴とする請求項１に記載の手乾燥装置。
【請求項４】
前記第１、第２の空気流の噴流軸のずれ量が、５ｍｍ〜３０ｍｍの範囲であることを特徴とする請求項１に記載の手乾燥装置。
【請求項５】
前記第１、第２の空気流の噴流軸が、互いに平行するか遠ざかるように前記第１、第２のノズルの向きを設定したことを特徴とする請求項１に記載の手乾燥装置。
【請求項６】
前記第１、第２のノズルが、左右方向に一列に配列された複数の噴出口を有することを特徴とする請求項１に記載の手乾燥装置。
【請求項７】
前記第１、第２のノズルが、左右方向に長いスリット状の噴出口を有することを特徴とする請求項１に記載の手乾燥装置。
【請求項８】
前記第１、第２のノズルが、複数の噴出口又はスリット状の噴出口を中央部が高い「へ」字状に配設したものであることを特徴とする請求項１に記載の手乾燥装置。
【請求項９】
前記第１、第２のノズルが、複数の噴出口又はスリット状の噴出口を中央部を塞いだ「ハ」字状に配設したものであることを特徴とする請求項１に記載の手乾燥装置。
【請求項１０】
前記第１、第２のノズルのうち手の平に対向するノズルの風量を手の甲に対向するノズルの風量よりも多くしたことを特徴とする請求項１に記載の手乾燥装置。
【発明の詳細な説明】
【技術分野】
【０００１】
本発明は、洗浄後の濡れた手に空気を吹き付けて衛生的に乾燥させる手乾燥装置に関するものである。
【背景技術】
【０００２】
従来の手乾燥装置として、本体上部に開口した手乾燥室と、本体内部に収納した送風手段は複数のノズルを介して少なくとも３ヶ所以上の吹出口に連通し、前記複数のノズルに共通する風路内に発熱手段を設け、前期手乾燥室には前記吹出口が互いに対向することなく両手を摺り合わせられる空間を形成し、前記手乾燥室内の底部にはドレン口、前記本体下部に制御手段、前記手乾燥室に挿入された手を検知する検知手段を設けたものがある（例えば、特許文献１参照）。【０００３】
【特許文献１】特開２００１−３４６７１５号公報（第４頁、図１）
【発明の開示】
【発明が解決しようとする課題】
【０００４】
しかしながら、上記従来の手乾燥装置は、３ヶ所の吹出口からの吹出し風が互いに衝突するので気流が乱れて騒音が大きいという問題があった。【０００５】
本発明は、上記に鑑みてなされたものであって、騒音が小さい手乾燥装置を得ることを目的とする。
【課題を解決するための手段】
【０００６】
上述した課題を解決し、目的を達成するために、本発明は、手挿入室の第１の内壁面側から第２の内壁面に向けて第１の空気流を噴出する第１のノズルと、前記第２の内壁面側から前記第１の内壁面に向けて第２の空気流を噴出する第２のノズルと、を備えた手乾燥装置において、前記第１、第２の空気流の噴流軸が互いに衝突しないように、一方のノズルを、他方のノズルが噴出する空気流の噴流軸から前記手挿入室の奥側へずらして設置し、前記手挿入室の奥側に位置する前記一方のノズルの入口側の内壁面であって前記他方のノズルからの空気流が衝突する内壁面を、前記手挿入室の奥側に向けて傾斜させたことを特徴とする。
【発明の効果】
【０００７】
この発明によれば、第１、第２の空気流が互いに遠ざかって衝突しないので、騒音が小さく速乾の手乾燥装置が得られるという効果を奏する。
【図面の簡単な説明】
【０００８】
【図１】図１は、本発明にかかる手乾燥装置の実施の形態１を示す縦断面図である。
【図２】図２は、同平面図である。
【図３】図３は、ノズルの噴出口の形態を示す正面図である。
【図４】図４は、空気流の詳細を示す図である。
【図５】図５は、ノズル位置のずれ量と乾燥時間との関係を示す線図である。
【図６】図６は、ノズル位置のずれ量と騒音との関係を示す線図である。
【図７】図７は、空気流の作用説明図である。
【図８】図８は、ノズルの噴出口の他の形態を示す正面図である。
【図９】図９は、ノズルの噴出口の他の形態を示す正面図である。
【図１０】図１０は、ノズルの噴出口の他の形態を示す正面図である。
【図１１】図１１は、ノズルの噴出口の他の形態を示す正面図である。
【図１２】図１２は、本発明にかかる手乾燥装置の実施の形態２を示す縦断面図である。
【図１３】図１３は、実施の形態１の手乾燥装置の比較例の説明図である。
【符号の説明】
【０００９】
１  手乾燥装置
２  手挿入室
４，２２  第１の内壁面
６，２５  第２の内壁面
１５  第１のノズル
１６  第２のノズル
１７  傾斜面
ａ  第１の空気流
ａ4  第１の空気流の噴流軸
ｃ  第２の空気流
ｃ4  第２の空気流の噴流軸
【発明を実施するための最良の形態】
【００１０】
以下に、本発明にかかる手乾燥装置の実施の形態を図面に基づいて詳細に説明する。なお、この実施の形態によりこの発明が限定されるものではない。【００１１】
実施の形態１．
図１は、本発明にかかる手乾燥装置の実施の形態１を示す縦断面図であり、図２は、同平面図であり、図３は、ノズルの噴出口の形態を示す正面図であり、図４は、空気流の詳細を示す図であり、図５は、ノズル位置のずれ量と乾燥時間との関係を示す線図であり、図６は、ノズル位置のずれ量と騒音との関係を示す線図であり、図７は、空気流の作用説明図であり、図８〜図１１は、ノズルの噴出口の他の形態を示す正面図であり、図１３は、実施の形態１の手乾燥装置の比較例の説明図である。【００１２】
図１及び図２に示すように、背面３０側が部屋の壁に取付けられる略直方体状の手乾燥装置１は、上方及び左右側方に開口する（左右側方は閉じていてもよい）略Ｕ字溝状の手挿入室２を有している。手挿入室２の内壁面３は、第１の内壁面としての前面４と、略垂直な後下面７と、第２の内壁面としての、手挿入室２の奥側に向けて傾斜させた後上面６と、中央部を低くした底面８と、を有している。【００１３】
底面８の低くした中央部には、手から飛散した水を排水する排水口９が設けられており、排水口９には排水管１０が接続され、排水管１０の下端は排水タンク１１に接続されている。【００１４】
手挿入室２の前面４の上部と、前面４と底面８との角部には、それぞれ、手の挿入の有無を検出する第１、第２の手検出手段としての赤外線発光部１２、１４が設置されている。赤外線発光部１２、１４は、後上面６の中央部に設置された赤外線受光部１３と協働して手の挿入の有無を検出する。【００１５】
手乾燥装置１は、後述の第１、第２のノズル１５、１６に高圧空気を供給する給気ダクト１８を備えている。給気ダクト１８には、高圧空気供給装置１９が接続されている。高圧空気供給装置１９の吸気口２０には、吸気中の埃等を除去する着脱可能なフィルター２１が備えられている。【００１６】
手挿入室２の前面４（第１の内壁面）の上部には、後上面６（第２の内壁面）に向けて第１の空気流ａを噴出する第１のノズル１５が設置され、後上面６（第２の内壁面）の上部には、前面４（第１の内壁面）に向けて第２の空気流ｃを噴出する第２のノズル１６が設置されている。第１、第２のノズル１５、１６は、上下方向に位置をずらして、すなわち、第１のノズル１５の位置を第２のノズル１６の位置よりも下方（手挿入室２の奥側）にずらして設置している。【００１７】
第１、第２のノズル１５、１６は、図３に示すように、左右方向に一列に配列された複数の丸孔状の噴出口１５ａ、１６ａを有している。図１に矢印で示すように、第１、第２のノズル１５、１６は、それぞれが噴出する第１、第２の空気流ａ、ｃの噴流軸が、それぞれ対向する内壁面に衝突する前に互いに衝突しないように、第１のノズルの設置位置を第２のノズルが噴出する空気流の噴流軸から下方（手挿入室２の奥側）にずらして設置している。【００１８】
図４に示すように、第１、第２のノズル１５、１６から噴出する第１、第２の空気流ａ、ｃは、径を拡大させながら進む。第１、第２のノズル１５、１６から噴出直後の空気流ａ、ｃには、噴流軸ａ4、ｃ4周りの中心部に、下流側が尖った楔形の、速度が減衰しないポテンシャルコアａ1、ｃ1が形成され、ポテンシャルコアａ1、ｃ1の周囲には、周囲空気を巻き込んで混合する拡径部ａ2、ｃ2が形成される。第１、第２のノズル１５、１６の先端部からノズル口径の５倍程度の距離でポテンシャルコアは消滅し、第１、第２の空気流ａ、ｃの径方向の速度分布は中心部を頂上とする緩やかな山型の速度分布ａ3、ｃ3となる。【００１９】
通常、ノズルの噴出口の口径は、丸孔噴出口でｄ＝４ｍｍ程度であり、ポテンシャルコアａ1、ｃ1の長さは、５×４ｍｍ＝２０ｍｍ程度であり、対向するノズル１５、１６のノズル間距離は、８０ｍｍ程度であるので、噴流軸ａ4、ｃ4同士のずれ量が小さく空気流ａ、ｃ同士が衝突する場合、衝突する位置（ノズル１５、１６先端部からそれぞれ４０ｍｍの中間位置）では、空気流ａ、ｃの速度分布は上記したように緩やかな速度分布になっていて、拡径部ａ2、ｃ2の外周部では流速が遅くなっている。また、噴流軸ａ4、ｃ4同士がある程度ずれていても、拡径部ａ2、ｃ2の外周部同士は干渉することになるが、外周部は流速が遅いので騒音は発生しない。【００２０】
本明細書においては、図４に示すように、噴流軸ａ4、ｃ4同士のずれ量を、第１、第２のノズル１５、１６の先端部同士を直線Ｄで結び、直線Ｄの中点を基点Ｏとし、基点Ｏから各噴流軸ａ4、ｃ4に垂線を降ろして各垂線距離Ａ、Ｂを求め、距離Ａ＋Ｂを噴流軸ａ4、ｃ4同士のずれ量と定義する。また、噴流軸ａ4、ｃ4同士のずれ量を、「ノズル位置のずれ量」ということもある。【００２１】
図１に示すように、第２のノズル１６が噴出する第２の空気流ｃが衝突する、第１のノズル１５の上方（手挿入室２の入口側）の内壁面３は、手挿入室２の奥側に向かって傾斜する流線形の凹曲面状の傾斜面１７となっていて、第２のノズル１６が噴出する第２の空気流ｃは、傾斜面１７に衝突し、傾斜面１７に沿う空気流となって流下し、第１のノズル１５の噴出する第１の空気流ａに上から当たり、第１の空気流ａを押し下げる。傾斜面１７が、流線形の凹曲面状に形成されているので、空気流ｃが衝突しても騒音を発生することはない。【００２２】
押し下げられた第１のノズル１５の第１の空気流ａは、第２のノズル１６から噴出している第２の空気流ｃから遠ざかるように下方に向かい、後上面６に衝突してさらに下方に向けられ、後下面７方向に流れる。【００２３】
第１、第２の空気流ａ、ｃの噴流軸ａ4、ｃ4同士の上下方向のずれ量（ノズル位置のずれ量）は、５ｍｍ〜３０ｍｍに設定するのが好ましい。図５に示すように、ずれ量（ｍｍ）を変化させた場合の乾燥時間（ｓｅｃ）は、ずれ量が０ｍｍ、５ｍｍ、１０ｍｍ、２０ｍｍ、３０ｍｍのとき、それぞれ、略７ｓｅｃ、６．５ｓｅｃ、６ｓｅｃ、６ｓｅｃ、７ｓｅｃとなり、略Ｕ字形の曲線をなす。ずれ量が５ｍｍ〜３０ｍｍの範囲では、乾燥時間が、ずれ量が０ｍｍのとき（噴流軸ａ4、ｃ4同士が衝突するとき）の乾燥時間を下回る。【００２４】
また、図６に示すように、第１のノズル１５の空気流ａの押し下げがない場合において、ノズル位置のずれ量（ｍｍ）を変化させた場合の騒音変化（ｄＢ）は、ずれ量が０ｍｍ、５ｍｍ、１０ｍｍ、２０ｍｍのとき、騒音はそれぞれ、略５７．５ｄＢ、５７ｄＢ、５６ｄＢ、５３ｄＢとなり、ずれ量の増加に伴って騒音は低下していく。【００２５】
さらに、第１のノズル１５の第１の空気流ａと第２のノズル１６の第２の空気流ｃとの上下方向のずれ量は、押し下げにより大きくなるため、騒音はさらに低下する。このように、ずれ量を５ｍｍ〜３０ｍｍに設定すると、乾燥効率が良好であるとともに騒音が低下する。【００２６】
また、上記の構成に加えて、通常、手の平に対向することとなる第１のノズル１５の風量が、手の甲に対向することとなる第２のノズル１６の風量よりも多くなるように、第１のノズル１５の口径を第２のノズル１６の口径よりも大きくして風量を調節する。【００２７】
次に、実施の形態１の手乾燥装置１の作用を説明する。まず、濡れた手を手挿入室２に挿入すると、通常、手の平が前側を向き、第１のノズル１５と対向する。第１、第２の手検出手段１２、１４が手の挿入を検出する。手が挿入されたと判断した制御手段（図示せず）が高圧空気供給装置１９を作動させて、吸気口２０から空気を吸込む。このとき、空気中の埃等は、フィルター２１で除去され、高圧空気供給装置１９内で清浄な高圧空気が作られる。【００２８】
清浄な高圧空気は、給気ダクト１８を介して第１、第２のノズル１５、１６に供給され、図１及び図２に矢印で示すように、第１、第２の空気流ａ、ｃとなって噴出して手に当たる。手挿入室２に挿入した手を擦り合わせずに、水滴を手の表面から手挿入室２の内壁面３に吹飛ばして手を乾燥させる。吹飛ばされた水滴は、排水口９から排水管１０を通って排水タンク１１に流れて貯留されるので、飛散した水滴によって手乾燥装置１の周囲が濡れることはない。【００２９】
その後、手を手挿入室２の上方に移動させる乾燥動作中においても、手が手挿入室２内にあるうちは、第１の手検知手段１２が引き続き手を検知し続けるため、継続して第１、第２のノズル１５、１６から第１、第２の空気流ａ、ｃが噴出するので、手の表面の水分等が除去されて手はさらに乾燥する。手が手挿入室２から完全に抜き出されて第１の手検知手段１２が手を検知しなくなったときは、短時間、運転継続した後、運転を停止する。乾燥動作において、第１、第２のノズル１５、１６から噴出する第１、第２の空気流ａ、ｃが上下にずれているため、手の平及び手の甲両面の水分を効率よく除去することができる。【００３０】
乾燥動作が終了し、手が手挿入室２から完全に抜き出された後の運転継続時においては、第１のノズル１５の第１の空気流ａが、第２のノズル１６から噴出する第２の空気流ｃとの上下方向のずれ量がさらに大きくなるように下方に押し下げられるため、互いの空気流ａ、ｃが衝突せず、気流衝突音が発生しないので、騒音を低減することができる。【００３１】
特に、図７（及び図１）に示すように、傾斜面１７を設けている場合は、第２のノズル１６から噴出した第２の空気流ｃは、傾斜面１７に衝突して壁面に沿った空気流となり、傾斜面１７により流れが下方に向けられ、第１のノズル１５の第１の空気流ａに当たり、第１のノズル１５の第１の空気流ａは、第２のノズル１６から噴出する第２の空気流ｃとの上下方向のずれ量がさらに大きくなるように下方に押し下げられる。【００３２】
また、第２のノズル１６から噴出した第２の空気流ｃは、傾斜面１７によって下方に向けられ、上方（入口側）に流出して使用者に吹き付けないので、使用者の使用感が向上する。また、後上面６と後下面７とは、逆「く」字状に形成されていて、第１のノズル１５から噴出した第１の空気流ａは、手挿入室２の下方（奥側）に向けて傾斜させた後上面６に衝突して下方に向かい、後下面７に沿って空気流ｂとして下降するので、第２のノズル１６から噴出する第２の空気流ｃと干渉することはなく、騒音の発生が抑えられる。【００３３】
これに対して、図１３の比較例に示すように、図１及び図７に示す傾斜面１７が形成されておらず、前面４ａが単に平面状に形成されている場合は、第２のノズル１６ａから噴出する第２の空気流ｃが前面４ａに衝突し、分流した空気流ｅが前面４ａに沿って上方（入口側）に吹き上がって使用者に吹き付け、使用感を損なうので好ましくない。【００３４】
また、図１３に示すように、後上面が、手挿入室２の下方（奥側）に向けて傾斜していない場合は、第１のノズル１５ａから噴出する第１の空気流ａが後面５ａに衝突し、分流した一方の空気流ｆが後面５ａに沿って上方に吹き上がり、第２のノズル１６ａから噴出した第２の空気流ｃと衝突する。このとき第２の空気流ｃに乱れが生じ、この乱れは前面４ａで分流する下向き空気流ｄから第１の空気流ａ、後面５ａで分流した空気流ｆ、さらに第２の空気流ｃに伝播し、空気流全体が乱れて大きな脈動音を発生する。【００３５】
手の表面性状から、手の甲より手の平の方が水分の付着力が強く乾燥しにくいことが知られているが、手の平に対向する第１のノズル１５の風量を、手の甲に対向する第２のノズル１６の風量よりも多くすることにより、手挿入室２に挿入した手の平及び手の甲の水分除去程度を均一にすることができる。また、第１のノズル１５を、第２のノズル１６よりも下方にずらして設置したので、乾燥効率が向上する。【００３６】
なお、上記の説明では、第１、第２のノズル１５、１６は、複数の噴出口が一列に配設されるものとしたが、図８に示すように、左右に長いスリット状の噴出口１５ａ、１６ａを有するものとしてもよく、あるいは、図９に示すように、複数の噴出口１５ａ、１６ａを中央部が高い「へ」字状に配設したものでもよい。さらに、図１０に示すように、「へ」字状に形成したスリット状の噴出口１５ａ、１６ａを有するものとしてもよく、あるいは、図１１に示すように、「ハ」字状に配設したスリット状の噴出口１５ａ、１６ａ又は複数の噴出口を有するものとしてもよい。【００３７】
左右に長いスリット状の噴出口とすることにより、切れ目のない空気流を噴出して手を均一に乾燥させることができる。また、噴出口を「へ」字状に配設することにより、噴出口が、手挿入室２へ左右から斜めに挿入される左右の手に直交することになるので、手の乾燥効率が向上する。また、噴出口を「ハ」字状に配設することにより、手が挿入されない中央部分に空気を噴出しないので、手乾燥装置１のエネルギー効率が向上する。【００３８】
また、上記の説明では、第１、第２のノズル１５、１６からそれぞれ噴出した第１、第２の空気流ａ、ｃが、壁に衝突する前は互いに略平行になるようにし、空気流同士が壁に到達する前に衝突しないようにして騒音の発生を防いでいるが、平行でなくても、噴出した空気流同士が対向する壁に衝突する前に互いに遠ざかるように第１、第２のノズル１５、１６の向きを設定してもよい。【００３９】
なお、第２のノズル１６の位置を第１のノズル１５の位置よりも下方（手挿入室２の奥側）にずらして設置し、第１のノズル１５が噴出する空気流が衝突する、第２のノズル１６の上方（手挿入室２の入口側）の内壁面３を、手挿入室２の奥側に向かって傾斜する傾斜面に形成し、第１のノズル１５が噴出する第１の空気流ａを、傾斜面に衝突させ、第２のノズル１６の噴出する第２の空気流ｃに上から当て、第２の空気流ｃを押し下げるようにしてもよい。【００４０】
実施の形態２
図１２は、本発明にかかる手乾燥装置の実施の形態２を示す縦断面図である。図１２において、図１に示すものと同等な機能を有するものには同一の符号を付している。【００４１】
図１２に示すように、背面３０側が部屋の壁に取付けられる略直方体状の手乾燥装置１は、前方及び左右側方に開口する（左右側方は閉じていてもよい）略「コ」字溝状の手挿入室２を有している。手挿入室２の内壁面３は、第２の内壁面としての、入口側（前方）が上方に傾斜する上面２２と、略垂直な後面２４と、第１の内壁面としての、奥側（後方）を低く傾斜させた底面２５と、を有している。【００４２】
底面２５の低くした後部には、手から飛散した水を排水する排水口９が設けられており、排水口９には排水管１０が接続され、排水管１０の下端は排水タンク１１に接続されている。【００４３】
手挿入室２の上面２２の中央部には、手の挿入の有無を検出する手検出手段１２が設置されている。手検出手段１２は、赤外線発光部であり、対向する内壁面３に設置された図示しない赤外線受光部と協働して手の挿入の有無を検出する。【００４４】
手乾燥装置１は、後述の第１、第２のノズル１５、１６に高圧空気を供給する給気ダクト１８を備えている。給気ダクト１８内には、高圧空気供給装置１９が設置され、高圧空気供給装置１９からの空気を給気ダクト１８によって第１、第２のノズル１５、１６に導く。給気ダクト１８の後部には、吸気ダクト２６が設けられており、その下部に位置する吸気口２０には、吸気中の埃等を除去する着脱可能なフィルター２１が備えられている。【００４５】
手挿入室２の上面２２（第１の内壁面）の入口側（前側）には、底面２５（第２の内壁面）に向けて第１の空気流ａを噴出する第１のノズル１５が設置され、底面２５（第２の内壁面）の入口側（前側）には、上面２２（第１の内壁面）に向けて第２の空気流ｃを噴出する第２のノズル１６が設置されている。第１、第２のノズル１５、１６は、前後方向に位置をずらして、すなわち、第１のノズル１５の位置を第２のノズル１６の位置よりも後方（手挿入室２の奥側）にずらして設置している。【００４６】
第１、第２のノズル１５、１６は、図３に示すように、左右方向に一列に配列された複数の丸孔状の噴出口１５ａ、１６ａを有している。図１２に矢印で示すように、第１、第２のノズル１５、１６は、それぞれが噴出する第１、第２の空気流ａ、ｃの噴流軸が、それぞれ対向する内壁面に衝突する前に互いに衝突しないように、第１のノズル１５の設置位置を第２のノズルが噴出する空気流ｃの噴流軸から後方（手挿入室２の奥側）にずらして設置している。なお、第２のノズル１６の風量が、第１のノズル１５の風量よりも多くなるように設定してある。【００４７】
第２のノズル１６が噴出する第２の空気流ｃが衝突する、第１のノズル１５の入口側（前側）の上面２２は、手挿入室２の奥側（後側）に向かって傾斜する流線形の凹曲面状の傾斜面１７となっていて、第２のノズル１６が噴出する第２の空気流ｃは、傾斜面１７に衝突し、傾斜面１７に沿う空気流となって後方へ向かい、第１のノズル１５の噴出する第１の空気流ａに前側から当たり、第１の空気流ａを後方へ向ける。傾斜面１７が、流線形の凹曲面状に形成されているので、空気流ｃが衝突しても騒音を発生することはない。【００４８】
後方へ向けられた第１のノズル１５の第１の空気流ａは、第２のノズル１６から噴出している第２の空気流ｃから遠ざかるように後方に向かい、底面２５に衝突してさらに後方に向けられ、底面２５上を後方へ流れる。第１、第２の空気流ａ、ｃの噴流軸同士の前後方向のずれ量は、５ｍｍ〜３０ｍｍに設定するのが好ましい。【００４９】
次に、実施の形態２の手乾燥装置１の作用を説明する。まず、濡れた手を手挿入室２に挿入すると、通常、手の平が下側を向き、第２のノズル１６と対向する。手検出手段１２が手の挿入を検出する。手が挿入されたと判断した制御手段（図示せず）が高圧空気供給装置１９を作動させて、吸気口２０から空気を吸込む。このとき、空気中の埃等は、フィルター２１で除去され、高圧空気供給装置１９内で清浄な高圧空気が作られる。【００５０】
清浄な高圧空気は、給気ダクト１８を介して第１、第２のノズル１５、１６に供給され、図１１に矢印で示すように、第１、第２の空気流ａ、ｃとなって噴出して手に当たる。手挿入室２に挿入した手を擦り合わせずに、水滴を手の表面から手挿入室２の内壁面３に吹飛ばして手を乾燥させる。吹飛ばされた水滴は、排水口９から排水管１０を通って排水タンク１１に流れて貯留されるので、飛散した水滴によって手乾燥装置１の周囲が濡れることはない。【００５１】
その後、手を手挿入室２の前方に移動させる乾燥動作中においても、手が手挿入室２内にあるうちは、手検知手段１２が引き続き手を検知し続けるため、継続して第１、第２のノズル１５、１６から第１、第２の空気流ａ、ｃが噴出するので、手の表面の水分等が除去されて手はさらに乾燥する。手が手挿入室２から完全に抜き出されて手検知手段１２が手を検知しなくなったときは、短時間、運転継続した後、運転を停止する。乾燥動作において、第１、第２のノズル１５、１６から噴出する第１、第２の空気流ａ、ｃが前後にずれているため、手の平及び手の甲両面の水分を効率よく除去することができる。【００５２】
乾燥動作が終了し、手が手挿入室２から完全に抜き出された後の運転継続時においては、第１のノズル１５の第１の空気流ａが、第２のノズル１６から噴出する第２の空気流ｃとの前後方向のずれ量がさらに大きくなるように後方に向けられるため、互いの空気流ａ、ｃが衝突せず、気流衝突音が発生しないので、騒音を低減することができる。【００５３】
また、第２のノズル１６から噴出した第２の空気流ｃは、傾斜面１７によって後方に向けられ、入口側（前方）に流出して使用者に吹き付けないので、使用者の使用感が向上する。また、底面２５は、後方が低くなるように傾斜しているので、第１のノズル１５から噴出した第１の空気流ａは、底面２５に衝突して後方に向かい、第２のノズル１６から噴出する第２の空気流ｃと干渉することはなく、騒音の発生が抑えられる。【００５４】
手の表面性状から、手の甲より手の平の方が水分の付着力が強く乾燥しにくいことが知られているが、手の平に対向する第２のノズル１６の風量を、手の甲に対向する第１のノズル１５の風量よりも多くすることにより、手挿入室２に挿入した手の平及び手の甲の水分除去程度を均一にすることができる。また、第１のノズル１５を、第２のノズル１６よりも後方（奥側）にずらして設置したので、乾燥効率が向上する。【００５５】
なお、上記の説明では、第１、第２のノズル１５、１６は、複数の噴出口が一列に配設されるものとしたが、図８に示すように、左右に長いスリット状の噴出口１５ａ、１６ａを有するものとしてもよく、あるいは、図９に示すように、複数の噴出口１５ａ、１６ａを中央部が高い「へ」字状に配設したものでもよい。さらに、図１０に示すように、「へ」字状に形成したスリット状の噴出口を有するものとしてもよく、あるいは、図１１に示すように、「ハ」字状に配設したスリット状の噴出口１５ａ、１６ａ又は複数の噴出口を有するものとしてもよい。【００５６】
また、上記の説明では、第１、第２のノズル１５、１６からそれぞれ噴出した第１、第２の空気流ａ、ｃが、壁に衝突する前は互いに略平行になるようにし、空気流同士が壁に到達する前に衝突しないようにして騒音の発生を防いでいるが、平行でなく、噴出した空気流同士が対向する壁に衝突する前に互いに遠ざかるように第１、第２のノズル１５、１６の向きを設定してもよい。【００５７】
なお、第２のノズル１６の位置を第１のノズル１５の位置よりも後方（手挿入室２の奥側）にずらして設置し、第１のノズル１５が噴出する空気流が衝突する、第２のノズル１６の前方（手挿入室２の入口側）の内壁面３を、手挿入室２の奥側に向かって傾斜する傾斜面に形成し、第１のノズル１５が噴出する第１の空気流ａを、傾斜面に衝突させ、第２のノズル１６の噴出する第２の空気流ｃに前から当て、第２の空気流ｃを奥側に向けるようにしてもよい。
【産業上の利用可能性】
【００５８】
以上のように、本発明にかかる手乾燥装置は、低騒音かつ速乾の手乾燥装置として、公共施設等に設置するのに適している。
【図１】
2007015297.tif 000002
【図２】
2007015297.tif 000003
【図３】
2007015297.tif 000004
【図４】
2007015297.tif 000005
【図５】
2007015297.tif 000006
【図６】
2007015297.tif 000007
【図７】
2007015297.tif 000008
【図８】
2007015297.tif 000009
【図９】
2007015297.tif 000010
【図１０】
2007015297.tif 000011
【図１１】
2007015297.tif 000012
【図１２】
2007015297.tif 000013
【図１３】
2007015297.tif 000014
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
手を挿入するための開口を有する手挿入室と、
前記手挿入室の一部を形成する第1の壁と、
前記手挿入室の一部を形成し、前記第1の壁と対向する第２の壁と、
前記第１の壁の内側の第１の内壁面に設けられ前記第２の壁の第２の内壁面に向かって空気流を噴出する第１のノズルと、
前記第２の内壁面に設けられ前記第１の内壁面に達する空気流を噴出する第２のノズルとを備える手乾燥装置において、
前記第２のノズルは、前記第１のノズルから噴出された空気流の噴流軸よりも前記開口寄りに噴流軸が形成されるように設けられ、
前記第１の内壁面は、前記第１の内壁面に達した前記第２のノズルからの空気流を前記手挿入室の前記開口から奥に向かって流して前記第１のノズルから噴出される空気流に当てるように形成され、前記第１のノズルから噴出される空気流を前記第２のノズルから噴出された空気流から遠ざけることを特徴とする手乾燥装置。
【請求項２】
前記第２のノズルからの空気流が達する第１の内壁面が、凹曲面状に形成されていることを特徴とする請求項１に記載の手乾燥装置。
【請求項３】
前記第２の内壁面は、前記第２の内壁面に達した前記第１のノズルからの空気流を前記手挿入室の前記開口から奥に向かって流すように形成されていることを特徴とする請求項１に記載の手乾燥装置。
【請求項４】
前記第１のノズルからの空気流の噴流軸と、前記第２のノズルからの空気流の噴流軸との間隔が、５ｍｍ〜３０ｍｍの範囲であることを特徴とする請求項１に記載の手乾燥装置。
【請求項５】
前記第１のノズルからの空気流の噴流軸と、前記第２のノズルからの空気流の噴流軸とが、互いに平行するか遠ざかるように前記第１のノズルの向きと前記第２のノズルの向きとを設定したことを特徴とする請求項１に記載の手乾燥装置。
【請求項６】
前記第１のノズルと前記第２のノズルは、手の挿入方向に対して略直角方向に一列に配列された複数の噴出口を有する細長い形状であることを特徴とする請求項１に記載の手乾燥装置。
【請求項７】
前記第１のノズルと前記第２のノズルは、手の挿入方向に対して略直角方向にスリット状の噴出口を有する細長い形状であることを特徴とする請求項１に記載の手乾燥装置。
【請求項８】
前記第１のノズルと前記第２のノズルは、手の挿入方向に対して略直角方向に複数の噴出口又はスリット状の噴出口を有する細長く中央部が張り出した形状であることを特徴とする請求項１に記載の手乾燥装置。
【請求項９】
前記第１のノズルと前記第２のノズルは、手の挿入方向に対して略直角方向に複数の噴出口又はスリット状の噴出口を有する細長く中央部が張り出すとともに前記中央部の噴出口又はスリットが塞がれた形状であることを特徴とする請求項１に記載の手乾燥装置。
【請求項１０】
前記第１のノズルは挿入された手の平側に空気流を吹き付け、前記第２のノズルは挿入された手の甲側に空気流を吹き付け、第１のノズルから噴出される空気の量を第２のノズルから噴出される空気の量よりも多くしたことを特徴とする請求項１に記載の手乾燥装置。
【手続補正２】
【補正対象書類名】明細書
【補正対象項目名】全文
【補正方法】変更
【補正の内容】
【発明の詳細な説明】
【技術分野】
【０００１】
本発明は、洗浄後の濡れた手に空気を吹き付けて衛生的に乾燥させる手乾燥装置に関するものである。
【背景技術】
【０００２】
従来の手乾燥装置として、本体上部に開口した手乾燥室と、本体内部に収納した送風手段は複数のノズルを介して少なくとも３ヶ所以上の吹出口に連通し、前記複数のノズルに共通する風路内に発熱手段を設け、前期手乾燥室には前記吹出口が互いに対向することなく両手を摺り合わせられる空間を形成し、前記手乾燥室内の底部にはドレン口、前記本体下部に制御手段、前記手乾燥室に挿入された手を検知する検知手段を設けたものがある（例えば、特許文献１参照）。
【０００３】
【特許文献１】特開２００１−３４６７１５号公報（第４頁、図１）
【発明の開示】
【発明が解決しようとする課題】
【０００４】
しかしながら、上記従来の手乾燥装置は、３ヶ所の吹出口からの吹出し風が互いに衝突するので気流が乱れて騒音が大きいという問題があった。
【０００５】
本発明は、上記に鑑みてなされたものであって、騒音が小さい手乾燥装置を得ることを目的とする。
【課題を解決するための手段】
【０００６】
上述した課題を解決し、目的を達成するために、本発明は、手を挿入するための開口を有する手挿入室と、前記手挿入室の一部を形成する第1の壁と、前記手挿入室の一部を形成し、前記第1の壁と対向する第２の壁と、前記第１の壁の内側の第１の内壁面に設けられ前記第２の壁の第２の内壁面に向かって空気流を噴出する第１のノズルと、前記第２の内壁面に設けられ前記第１の内壁面に達する空気流を噴出する第２のノズルとを備える手乾燥装置において、前記第２のノズルは、前記第１のノズルから噴出された空気流の噴流軸よりも前記開口寄りに噴流軸が形成されるように設けられ、前記第１の内壁面は、前記第１の内壁面に達した前記第２のノズルからの空気流を前記手挿入室の前記開口から奥に向かって流して前記第１のノズルから噴出される空気流に当てるように形成され、前記第１のノズルから噴出される空気流を前記第２のノズルから噴出された空気流から遠ざけることを特徴とする。
【発明の効果】
【０００７】
この発明によれば、第１、第２の空気流が互いに遠ざかって衝突しないので、騒音が小さく速乾の手乾燥装置が得られるという効果を奏する。
【発明を実施するための最良の形態】
【０００８】
以下に、本発明にかかる手乾燥装置の実施の形態を図面に基づいて詳細に説明する。なお、この実施の形態によりこの発明が限定されるものではない。
【０００９】
実施の形態１．
図１は、本発明にかかる手乾燥装置の実施の形態１を示す縦断面図であり、図２は、同平面図であり、図３は、ノズルの噴出口の形態を示す正面図であり、図４は、空気流の詳細を示す図であり、図５は、ノズル位置のずれ量と乾燥時間との関係を示す線図であり、図６は、ノズル位置のずれ量と騒音との関係を示す線図であり、図７は、空気流の作用説明図であり、図８〜図１１は、ノズルの噴出口の他の形態を示す正面図であり、図１３は、実施の形態１の手乾燥装置の比較例の説明図である。
【００１０】
図１及び図２に示すように、背面３０側が部屋の壁に取付けられる略直方体状の手乾燥装置１は、上方及び左右側方に開口する（左右側方は閉じていてもよい）略Ｕ字溝状の手挿入室２を有している。手挿入室２の内壁面３は、第１の内壁面としての前面４と、略垂直な後下面７と、第２の内壁面としての、手挿入室２の奥側に向けて傾斜させた後上面６と、中央部を低くした底面８と、を有している。
【００１１】
底面８の低くした中央部には、手から飛散した水を排水する排水口９が設けられており、排水口９には排水管１０が接続され、排水管１０の下端は排水タンク１１に接続されている。
【００１２】
手挿入室２の前面４の上部と、前面４と底面８との角部には、それぞれ、手の挿入の有無を検出する第１、第２の手検出手段としての赤外線発光部１２、１４が設置されている。赤外線発光部１２、１４は、後上面６の中央部に設置された赤外線受光部１３と協働して手の挿入の有無を検出する。
【００１３】
手乾燥装置１は、後述の第１、第２のノズル１５、１６に高圧空気を供給する給気ダクト１８を備えている。給気ダクト１８には、高圧空気供給装置１９が接続されている。高圧空気供給装置１９の吸気口２０には、吸気中の埃等を除去する着脱可能なフィルター２１が備えられている。
【００１４】
手挿入室２の前面４（第１の内壁面）の上部には、後上面６（第２の内壁面）に向けて第１の空気流ａを噴出する第１のノズル１５が設置され、後上面６（第２の内壁面）の上部には、前面４（第１の内壁面）に向けて第２の空気流ｃを噴出する第２のノズル１６が設置されている。第１、第２のノズル１５、１６は、上下方向に位置をずらして、すなわち、第１のノズル１５の位置を第２のノズル１６の位置よりも下方（手挿入室２の奥側）にずらして設置している。
【００１５】
第１、第２のノズル１５、１６は、図３に示すように、左右方向に一列に配列された複数の丸孔状の噴出口１５ａ、１６ａを有している。図１に矢印で示すように、第１、第２のノズル１５、１６は、それぞれが噴出する第１、第２の空気流ａ、ｃの噴流軸が、それぞれ対向する内壁面に衝突する前に互いに衝突しないように、第１のノズルの設置位置を第２のノズルが噴出する空気流の噴流軸から下方（手挿入室２の奥側）にずらして設置している。
【００１６】
図４に示すように、第１、第２のノズル１５、１６から噴出する第１、第２の空気流ａ、ｃは、径を拡大させながら進む。第１、第２のノズル１５、１６から噴出直後の空気流ａ、ｃには、噴流軸ａ４、ｃ４周りの中心部に、下流側が尖った楔形の、速度が減衰しないポテンシャルコアａ１、ｃ１が形成され、ポテンシャルコアａ１、ｃ１の周囲には、周囲空気を巻き込んで混合する拡径部ａ２、ｃ２が形成される。第１、第２のノズル１５、１６の先端部からノズル口径の５倍程度の距離でポテンシャルコアは消滅し、第１、第２の空気流ａ、ｃの径方向の速度分布は中心部を頂上とする緩やかな山型の速度分布ａ３、ｃ３となる。
【００１７】
通常、ノズルの噴出口の口径は、丸孔噴出口でｄ＝４ｍｍ程度であり、ポテンシャルコアａ１、ｃ１の長さは、５×４ｍｍ＝２０ｍｍ程度であり、対向するノズル１５、１６のノズル間距離は、８０ｍｍ程度であるので、噴流軸ａ４、ｃ４同士のずれ量が小さく空気流ａ、ｃ同士が衝突する場合、衝突する位置（ノズル１５、１６先端部からそれぞれ４０ｍｍの中間位置）では、空気流ａ、ｃの速度分布は上記したように緩やかな速度分布になっていて、拡径部ａ２、ｃ２の外周部では流速が遅くなっている。また、噴流軸ａ４、ｃ４同士がある程度ずれていても、拡径部ａ２、ｃ２の外周部同士は干渉することになるが、外周部は流速が遅いので騒音は発生しない。
【００１８】
本明細書においては、図４に示すように、噴流軸ａ４、ｃ４同士のずれ量を、第１、第２のノズル１５、１６の先端部同士を直線Ｄで結び、直線Ｄの中点を基点Ｏとし、基点Ｏから各噴流軸ａ４、ｃ４に垂線を降ろして各垂線距離Ａ、Ｂを求め、距離Ａ＋Ｂを噴流軸ａ４、ｃ４同士のずれ量と定義する。また、噴流軸ａ４、ｃ４同士のずれ量を、「ノズル位置のずれ量」ということもある。
【００１９】
図１に示すように、第２のノズル１６が噴出する第２の空気流ｃが衝突する、第１のノズル１５の上方（手挿入室２の入口側）の内壁面３は、手挿入室２の奥側に向かって傾斜する流線形の凹曲面状の傾斜面１７となっていて、第２のノズル１６が噴出する第２の空気流ｃは、傾斜面１７に衝突し、傾斜面１７に沿う空気流となって流下し、第１のノズル１５の噴出する第１の空気流ａに上から当たり、第１の空気流ａを押し下げる。傾斜面１７が、流線形の凹曲面状に形成されているので、空気流ｃが衝突しても騒音を発生することはない。
【００２０】
押し下げられた第１のノズル１５の第１の空気流ａは、第２のノズル１６から噴出している第２の空気流ｃから遠ざかるように下方に向かい、後上面６に衝突してさらに下方に向けられ、後下面７方向に流れる。
【００２１】
第１、第２の空気流ａ、ｃの噴流軸ａ４、ｃ４同士の上下方向のずれ量（ノズル位置のずれ量）は、５ｍｍ〜３０ｍｍに設定するのが好ましい。図５に示すように、ずれ量（ｍｍ）を変化させた場合の乾燥時間（ｓｅｃ）は、ずれ量が０ｍｍ、５ｍｍ、１０ｍｍ、２０ｍｍ、３０ｍｍのとき、それぞれ、略７ｓｅｃ、６．５ｓｅｃ、６ｓｅｃ、６ｓｅｃ、７ｓｅｃとなり、略Ｕ字形の曲線をなす。ずれ量が５ｍｍ〜３０ｍｍの範囲では、乾燥時間が、ずれ量が０ｍｍのとき（噴流軸ａ４、ｃ４同士が衝突するとき）の乾燥時間を下回る。
【００２２】
また、図６に示すように、第１のノズル１５の空気流ａの押し下げがない場合において、ノズル位置のずれ量（ｍｍ）を変化させた場合の騒音変化（ｄＢ）は、ずれ量が０ｍｍ、５ｍｍ、１０ｍｍ、２０ｍｍのとき、騒音はそれぞれ、略５７．５ｄＢ、５７ｄＢ、５６ｄＢ、５３ｄＢとなり、ずれ量の増加に伴って騒音は低下していく。
【００２３】
さらに、第１のノズル１５の第１の空気流ａと第２のノズル１６の第２の空気流ｃとの上下方向のずれ量は、押し下げにより大きくなるため、騒音はさらに低下する。このように、ずれ量を５ｍｍ〜３０ｍｍに設定すると、乾燥効率が良好であるとともに騒音が低下する。
【００２４】
また、上記の構成に加えて、通常、手の平に対向することとなる第１のノズル１５の風量が、手の甲に対向することとなる第２のノズル１６の風量よりも多くなるように、第１のノズル１５の口径を第２のノズル１６の口径よりも大きくして風量を調節する。
【００２５】
次に、実施の形態１の手乾燥装置１の作用を説明する。まず、濡れた手を手挿入室２に挿入すると、通常、手の平が前側を向き、第１のノズル１５と対向する。第１、第２の手検出手段１２、１４が手の挿入を検出する。手が挿入されたと判断した制御手段（図示せず）が高圧空気供給装置１９を作動させて、吸気口２０から空気を吸込む。このとき、空気中の埃等は、フィルター２１で除去され、高圧空気供給装置１９内で清浄な高圧空気が作られる。
【００２６】
清浄な高圧空気は、給気ダクト１８を介して第１、第２のノズル１５、１６に供給され、図１及び図２に矢印で示すように、第１、第２の空気流ａ、ｃとなって噴出して手に当たる。手挿入室２に挿入した手を擦り合わせずに、水滴を手の表面から手挿入室２の内壁面３に吹飛ばして手を乾燥させる。吹飛ばされた水滴は、排水口９から排水管１０を通って排水タンク１１に流れて貯留されるので、飛散した水滴によって手乾燥装置１の周囲が濡れることはない。
【００２７】
その後、手を手挿入室２の上方に移動させる乾燥動作中においても、手が手挿入室２内にあるうちは、第１の手検知手段１２が引き続き手を検知し続けるため、継続して第１、第２のノズル１５、１６から第１、第２の空気流ａ、ｃが噴出するので、手の表面の水分等が除去されて手はさらに乾燥する。手が手挿入室２から完全に抜き出されて第１の手検知手段１２が手を検知しなくなったときは、短時間、運転継続した後、運転を停止する。乾燥動作において、第１、第２のノズル１５、１６から噴出する第１、第２の空気流ａ、ｃが上下にずれているため、手の平及び手の甲両面の水分を効率よく除去することができる。
【００２８】
乾燥動作が終了し、手が手挿入室２から完全に抜き出された後の運転継続時においては、第１のノズル１５の第１の空気流ａが、第２のノズル１６から噴出する第２の空気流ｃとの上下方向のずれ量がさらに大きくなるように下方に押し下げられるため、互いの空気流ａ、ｃが衝突せず、気流衝突音が発生しないので、騒音を低減することができる。
【００２９】
特に、図７（及び図１）に示すように、傾斜面１７を設けている場合は、第２のノズル１６から噴出した第２の空気流ｃは、傾斜面１７に衝突して壁面に沿った空気流となり、傾斜面１７により流れが下方に向けられ、第１のノズル１５の第１の空気流ａに当たり、第１のノズル１５の第１の空気流ａは、第２のノズル１６から噴出する第２の空気流ｃとの上下方向のずれ量がさらに大きくなるように下方に押し下げられる。
【００３０】
また、第２のノズル１６から噴出した第２の空気流ｃは、傾斜面１７によって下方に向けられ、上方（入口側）に流出して使用者に吹き付けないので、使用者の使用感が向上する。また、後上面６と後下面７とは、逆「く」字状に形成されていて、第１のノズル１５から噴出した第１の空気流ａは、手挿入室２の下方（奥側）に向けて傾斜させた後上面６に衝突して下方に向かい、後下面７に沿って空気流ｂとして下降するので、第２のノズル１６から噴出する第２の空気流ｃと干渉することはなく、騒音の発生が抑えられる。
【００３１】
これに対して、図１３の比較例に示すように、図１及び図７に示す傾斜面１７が形成されておらず、前面４ａが単に平面状に形成されている場合は、第２のノズル１６ａから噴出する第２の空気流ｃが前面４ａに衝突し、分流した空気流ｅが前面４ａに沿って上方（入口側）に吹き上がって使用者に吹き付け、使用感を損なうので好ましくない。
【００３２】
また、図１３に示すように、後上面が、手挿入室２の下方（奥側）に向けて傾斜していない場合は、第１のノズル１５ａから噴出する第１の空気流ａが後面５ａに衝突し、分流した一方の空気流ｆが後面５ａに沿って上方に吹き上がり、第２のノズル１６ａから噴出した第２の空気流ｃと衝突する。このとき第２の空気流ｃに乱れが生じ、この乱れは前面４ａで分流する下向き空気流ｄから第１の空気流ａ、後面５ａで分流した空気流ｆ、さらに第２の空気流ｃに伝播し、空気流全体が乱れて大きな脈動音を発生する。
【００３３】
手の表面性状から、手の甲より手の平の方が水分の付着力が強く乾燥しにくいことが知られているが、手の平に対向する第１のノズル１５の風量を、手の甲に対向する第２のノズル１６の風量よりも多くすることにより、手挿入室２に挿入した手の平及び手の甲の水分除去程度を均一にすることができる。また、第１のノズル１５を、第２のノズル１６よりも下方にずらして設置したので、乾燥効率が向上する。
【００３４】
なお、上記の説明では、第１、第２のノズル１５、１６は、複数の噴出口が一列に配設されるものとしたが、図８に示すように、左右に長いスリット状の噴出口１５ａ、１６ａを有するものとしてもよく、あるいは、図９に示すように、複数の噴出口１５ａ、１６ａを中央部が高い「へ」字状に配設したものでもよい。さらに、図１０に示すように、「へ」字状に形成したスリット状の噴出口１５ａ、１６ａを有するものとしてもよく、あるいは、図１１に示すように、「ハ」字状に配設したスリット状の噴出口１５ａ、１６ａ又は複数の噴出口を有するものとしてもよい。
【００３５】
左右に長いスリット状の噴出口とすることにより、切れ目のない空気流を噴出して手を均一に乾燥させることができる。また、噴出口を「へ」字状に配設することにより、噴出口が、手挿入室２へ左右から斜めに挿入される左右の手に直交することになるので、手の乾燥効率が向上する。また、噴出口を「ハ」字状に配設することにより、手が挿入されない中央部分に空気を噴出しないので、手乾燥装置１のエネルギー効率が向上する。
【００３６】
また、上記の説明では、第１、第２のノズル１５、１６からそれぞれ噴出した第１、第２の空気流ａ、ｃが、壁に衝突する前は互いに略平行になるようにし、空気流同士が壁に到達する前に衝突しないようにして騒音の発生を防いでいるが、平行でなくても、噴出した空気流同士が対向する壁に衝突する前に互いに遠ざかるように第１、第２のノズル１５、１６の向きを設定してもよい。
【００３７】
なお、第２のノズル１６の位置を第１のノズル１５の位置よりも下方（手挿入室２の奥側）にずらして設置し、第１のノズル１５が噴出する空気流が衝突する、第２のノズル１６の上方（手挿入室２の入口側）の内壁面３を、手挿入室２の奥側に向かって傾斜する傾斜面に形成し、第１のノズル１５が噴出する第１の空気流ａを、傾斜面に衝突させ、第２のノズル１６の噴出する第２の空気流ｃに上から当て、第２の空気流ｃを押し下げるようにしてもよい。
【００３８】
実施の形態２
図１２は、本発明にかかる手乾燥装置の実施の形態２を示す縦断面図である。図１２において、図１に示すものと同等な機能を有するものには同一の符号を付している。
【００３９】
図１２に示すように、背面３０側が部屋の壁に取付けられる略直方体状の手乾燥装置１は、前方及び左右側方に開口する（左右側方は閉じていてもよい）略「コ」字溝状の手挿入室２を有している。手挿入室２の内壁面３は、第２の内壁面としての、入口側（前方）が上方に傾斜する上面２２と、略垂直な後面２４と、第１の内壁面としての、奥側（後方）を低く傾斜させた底面２５と、を有している。
【００４０】
底面２５の低くした後部には、手から飛散した水を排水する排水口９が設けられており、排水口９には排水管１０が接続され、排水管１０の下端は排水タンク１１に接続されている。
【００４１】
手挿入室２の上面２２の中央部には、手の挿入の有無を検出する手検出手段１２が設置されている。手検出手段１２は、赤外線発光部であり、対向する内壁面３に設置された図示しない赤外線受光部と協働して手の挿入の有無を検出する。
【００４２】
手乾燥装置１は、後述の第１、第２のノズル１５、１６に高圧空気を供給する給気ダクト１８を備えている。給気ダクト１８内には、高圧空気供給装置１９が設置され、高圧空気供給装置１９からの空気を給気ダクト１８によって第１、第２のノズル１５、１６に導く。給気ダクト１８の後部には、吸気ダクト２６が設けられており、その下部に位置する吸気口２０には、吸気中の埃等を除去する着脱可能なフィルター２１が備えられている。
【００４３】
手挿入室２の上面２２（第１の内壁面）の入口側（前側）には、底面２５（第２の内壁面）に向けて第１の空気流ａを噴出する第１のノズル１５が設置され、底面２５（第２の内壁面）の入口側（前側）には、上面２２（第１の内壁面）に向けて第２の空気流ｃを噴出する第２のノズル１６が設置されている。第１、第２のノズル１５、１６は、前後方向に位置をずらして、すなわち、第１のノズル１５の位置を第２のノズル１６の位置よりも後方（手挿入室２の奥側）にずらして設置している。
【００４４】
第１、第２のノズル１５、１６は、図３に示すように、左右方向に一列に配列された複数の丸孔状の噴出口１５ａ、１６ａを有している。図１２に矢印で示すように、第１、第２のノズル１５、１６は、それぞれが噴出する第１、第２の空気流ａ、ｃの噴流軸が、それぞれ対向する内壁面に衝突する前に互いに衝突しないように、第１のノズル１５の設置位置を第２のノズルが噴出する空気流ｃの噴流軸から後方（手挿入室２の奥側）にずらして設置している。なお、第２のノズル１６の風量が、第１のノズル１５の風量よりも多くなるように設定してある。
【００４５】
第２のノズル１６が噴出する第２の空気流ｃが衝突する、第１のノズル１５の入口側（前側）の上面２２は、手挿入室２の奥側（後側）に向かって傾斜する流線形の凹曲面状の傾斜面１７となっていて、第２のノズル１６が噴出する第２の空気流ｃは、傾斜面１７に衝突し、傾斜面１７に沿う空気流となって後方へ向かい、第１のノズル１５の噴出する第１の空気流ａに前側から当たり、第１の空気流ａを後方へ向ける。傾斜面１７が、流線形の凹曲面状に形成されているので、空気流ｃが衝突しても騒音を発生することはない。
【００４６】
後方へ向けられた第１のノズル１５の第１の空気流ａは、第２のノズル１６から噴出している第２の空気流ｃから遠ざかるように後方に向かい、底面２５に衝突してさらに後方に向けられ、底面２５上を後方へ流れる。第１、第２の空気流ａ、ｃの噴流軸同士の前後方向のずれ量は、５ｍｍ〜３０ｍｍに設定するのが好ましい。
【００４７】
次に、実施の形態２の手乾燥装置１の作用を説明する。まず、濡れた手を手挿入室２に挿入すると、通常、手の平が下側を向き、第２のノズル１６と対向する。手検出手段１２が手の挿入を検出する。手が挿入されたと判断した制御手段（図示せず）が高圧空気供給装置１９を作動させて、吸気口２０から空気を吸込む。このとき、空気中の埃等は、フィルター２１で除去され、高圧空気供給装置１９内で清浄な高圧空気が作られる。
【００４８】
清浄な高圧空気は、給気ダクト１８を介して第１、第２のノズル１５、１６に供給され、図１１に矢印で示すように、第１、第２の空気流ａ、ｃとなって噴出して手に当たる。手挿入室２に挿入した手を擦り合わせずに、水滴を手の表面から手挿入室２の内壁面３に吹飛ばして手を乾燥させる。吹飛ばされた水滴は、排水口９から排水管１０を通って排水タンク１１に流れて貯留されるので、飛散した水滴によって手乾燥装置１の周囲が濡れることはない。
【００４９】
その後、手を手挿入室２の前方に移動させる乾燥動作中においても、手が手挿入室２内にあるうちは、手検知手段１２が引き続き手を検知し続けるため、継続して第１、第２のノズル１５、１６から第１、第２の空気流ａ、ｃが噴出するので、手の表面の水分等が除去されて手はさらに乾燥する。手が手挿入室２から完全に抜き出されて手検知手段１２が手を検知しなくなったときは、短時間、運転継続した後、運転を停止する。乾燥動作において、第１、第２のノズル１５、１６から噴出する第１、第２の空気流ａ、ｃが前後にずれているため、手の平及び手の甲両面の水分を効率よく除去することができる。
【００５０】
乾燥動作が終了し、手が手挿入室２から完全に抜き出された後の運転継続時においては、第１のノズル１５の第１の空気流ａが、第２のノズル１６から噴出する第２の空気流ｃとの前後方向のずれ量がさらに大きくなるように後方に向けられるため、互いの空気流ａ、ｃが衝突せず、気流衝突音が発生しないので、騒音を低減することができる。
【００５１】
また、第２のノズル１６から噴出した第２の空気流ｃは、傾斜面１７によって後方に向けられ、入口側（前方）に流出して使用者に吹き付けないので、使用者の使用感が向上する。また、底面２５は、後方が低くなるように傾斜しているので、第１のノズル１５から噴出した第１の空気流ａは、底面２５に衝突して後方に向かい、第２のノズル１６から噴出する第２の空気流ｃと干渉することはなく、騒音の発生が抑えられる。
【００５２】
手の表面性状から、手の甲より手の平の方が水分の付着力が強く乾燥しにくいことが知られているが、手の平に対向する第２のノズル１６の風量を、手の甲に対向する第１のノズル１５の風量よりも多くすることにより、手挿入室２に挿入した手の平及び手の甲の水分除去程度を均一にすることができる。また、第１のノズル１５を、第２のノズル１６よりも後方（奥側）にずらして設置したので、乾燥効率が向上する。
【００５３】
なお、上記の説明では、第１、第２のノズル１５、１６は、複数の噴出口が一列に配設されるものとしたが、図８に示すように、左右に長いスリット状の噴出口１５ａ、１６ａを有するものとしてもよく、あるいは、図９に示すように、複数の噴出口１５ａ、１６ａを中央部が高い「へ」字状に配設したものでもよい。さらに、図１０に示すように、「へ」字状に形成したスリット状の噴出口を有するものとしてもよく、あるいは、図１１に示すように、「ハ」字状に配設したスリット状の噴出口１５ａ、１６ａ又は複数の噴出口を有するものとしてもよい。
【００５４】
また、上記の説明では、第１、第２のノズル１５、１６からそれぞれ噴出した第１、第２の空気流ａ、ｃが、壁に衝突する前は互いに略平行になるようにし、空気流同士が壁に到達する前に衝突しないようにして騒音の発生を防いでいるが、平行でなく、噴出した空気流同士が対向する壁に衝突する前に互いに遠ざかるように第１、第２のノズル１５、１６の向きを設定してもよい。
【００５５】
なお、第２のノズル１６の位置を第１のノズル１５の位置よりも後方（手挿入室２の奥側）にずらして設置し、第１のノズル１５が噴出する空気流が衝突する、第２のノズル１６の前方（手挿入室２の入口側）の内壁面３を、手挿入室２の奥側に向かって傾斜する傾斜面に形成し、第１のノズル１５が噴出する第１の空気流ａを、傾斜面に衝突させ、第２のノズル１６の噴出する第２の空気流ｃに前から当て、第２の空気流ｃを奥側に向けるようにしてもよい。
【産業上の利用可能性】
【００５６】
以上のように、本発明にかかる手乾燥装置は、低騒音かつ速乾の手乾燥装置として、公共施設等に設置するのに適している。
【図面の簡単な説明】
【００５７】
【図１】本発明にかかる手乾燥装置の実施の形態１を示す縦断面図である。
【図２】同平面図である。
【図３】ノズルの噴出口の形態を示す正面図である。
【図４】空気流の詳細を示す図である。
【図５】ノズル位置のずれ量と乾燥時間との関係を示す線図である。
【図６】ノズル位置のずれ量と騒音との関係を示す線図である。
【図７】空気流の作用説明図である。
【図８】ノズルの噴出口の他の形態を示す正面図である。
【図９】ノズルの噴出口の他の形態を示す正面図である。
【図１０】ノズルの噴出口の他の形態を示す正面図である。
【図１１】ノズルの噴出口の他の形態を示す正面図である。
【図１２】本発明にかかる手乾燥装置の実施の形態２を示す縦断面図である。
【図１３】実施の形態１の手乾燥装置の比較例の説明図である。
【符号の説明】
【００５８】
１  手乾燥装置
２  手挿入室
４，２２  第１の内壁面
６，２５  第２の内壁面
１５  第１のノズル
１６  第２のノズル
１７  傾斜面
ａ  第１の空気流
ａ４  第１の空気流の噴流軸
ｃ  第２の空気流
ｃ４  第２の空気流の噴流軸
【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
手を挿入するための開口を有する手挿入室と、
前記手挿入室の一部を形成する第１の壁と、
前記手挿入室の一部を形成し、前記第１の壁と対向する第２の壁と、
前記第１の壁の内側の第１の内壁面に設けられ前記第２の壁の第２の内壁面に向かって空気流を噴出する第１のノズルと、
前記第２の内壁面に設けられ前記第１の内壁面に達する空気流を噴出する第２のノズルとを備える手乾燥装置において、
前記第２のノズルは、前記第１のノズルから噴出された空気流の噴流軸よりも前記開口寄りに噴流軸が形成されるように設けられ、
前記第１の内壁面は、前記第１の内壁面に達した前記第２のノズルからの空気流を前記手挿入室の前記開口から奥に向かって流して前記第１のノズルから噴出される空気流に当てるように傾斜して形成され、前記第１のノズルから噴出される空気流を前記第２のノズルから噴出された空気流から遠ざけることを特徴とする手乾燥装置。
【請求項２】
前記第２のノズルからの空気流が達する第１の内壁面が、凹曲面状に形成されていることを特徴とする請求項１に記載の手乾燥装置。
【請求項３】
前記第２の内壁面は、前記第２の内壁面に達した前記第１のノズルからの空気流を前記手挿入室の前記開口から奥に向かって流すように傾斜して形成されていることを特徴とする請求項１に記載の手乾燥装置。
【請求項４】
前記第１のノズルからの空気流の噴流軸と、前記第２のノズルからの空気流の噴流軸との間隔が、５ｍｍ〜３０ｍｍの範囲であることを特徴とする請求項１に記載の手乾燥装置。
【請求項５】
前記第１のノズルからの空気流の噴流軸と、前記第２のノズルからの空気流の噴流軸とが、互いに平行するか遠ざかるように前記第１のノズルの向きと前記第２のノズルの向きとを設定したことを特徴とする請求項１に記載の手乾燥装置。
【請求項６】
前記第１のノズルと前記第２のノズルは、手の挿入方向に対して略直角方向に一列に配列された複数の噴出口を有する細長い形状であることを特徴とする請求項１に記載の手乾燥装置。
【請求項７】
前記第１のノズルと前記第２のノズルは、手の挿入方向に対して略直角方向にスリット状の噴出口を有する細長い形状であることを特徴とする請求項１に記載の手乾燥装置。
【請求項８】
前記第１のノズルと前記第２のノズルは、手の挿入方向に対して略直角方向に複数の噴出口又はスリット状の噴出口を有する細長く中央部が張り出した形状であることを特徴とする請求項１に記載の手乾燥装置。
【請求項９】
前記第１のノズルと前記第２のノズルは、手の挿入方向に対して略直角方向に複数の噴出口又はスリット状の噴出口を有する細長く中央部が張り出すとともに前記中央部の噴出口又はスリットが塞がれた形状であることを特徴とする請求項１に記載の手乾燥装置。
【請求項１０】
前記第１のノズルは挿入された手の平側に空気流を吹き付け、前記第２のノズルは挿入された手の甲側に空気流を吹き付け、第１のノズルから噴出される空気の量を第２のノズルから噴出される空気の量よりも多くしたことを特徴とする請求項１に記載の手乾燥装置。
【手続補正２】
【補正対象書類名】明細書
【補正対象項目名】０００６
【補正方法】変更
【補正の内容】
【０００６】
上述した課題を解決し、目的を達成するために、本発明は、手を挿入するための開口を有する手挿入室と、前記手挿入室の一部を形成する第1の壁と、前記手挿入室の一部を形成し、前記第1の壁と対向する第２の壁と、前記第１の壁の内側の第１の内壁面に設けられ前記第２の壁の第２の内壁面に向かって空気流を噴出する第１のノズルと、前記第２の内壁面に設けられ前記第１の内壁面に達する空気流を噴出する第２のノズルとを備える手乾燥装置において、前記第２のノズルは、前記第１のノズルから噴出された空気流の噴流軸よりも前記開口寄りに噴流軸が形成されるように設けられ、前記第１の内壁面は、前記第１の内壁面に達した前記第２のノズルからの空気流を前記手挿入室の前記開口から奥に向かって流して前記第１のノズルから噴出される空気流に当てるように傾斜して形成され、前記第１のノズルから噴出される空気流を前記第２のノズルから噴出された空気流から遠ざけることを特徴とする。
【国際調査報告】
2007015297.tif 000015
2007015297.tif 000016
2007015297.tif 000017
2007015297.tif 000018